(57)【要約】【課題】ライフプラン分析装置において、対象者の個人情報と分析結果の対比を行いやすくし、分析結果を現在の経済活動等へフィードバックし、対象者のライフプランの再検討を行う上での利便性を向上する。【解決手段】各種個人情報データを入力してライフプランの分析をするライフプラン分析装置において、当該ライフプラン分析装置の表示画面が条件入力部と分析部を含み、当該条件入力部及び当該分析部を同時表示する。また、条件入力部の一の項目の入力動作の完了を契機としてライフプラン分析動作を実行し、分析結果を表示画面中の分析部に描画することにより、ライフプランの分析及び結果表示を行う、等。【選択図】図７
2005228279.tif 000002
【特許請求の範囲】
【請求項１】
各種個人情報データを入力してライフプランの分析をするライフプラン分析装置において、
当該ライフプラン分析装置の表示画面が条件入力部と分析部を含み、
当該条件入力部及び当該分析部が同時に画面表示されることを特徴とするライフプラン分析表示装置。
【請求項２】
各種個人情報データを入力してライフプランの分析をする請求項１のライフプラン分析装置において、
条件入力部の一の項目の入力動作の完了を契機としてライフプラン分析動作を実行し、分析結果を表示画面中の分析部に描画することにより、ライフプランの分析及び結果表示を行うことを特徴とするライフプラン分析装置。
【請求項３】
各種個人情報データを入力してライフプランの分析をする請求項１のライフプラン分析装置において、
当該ライフプラン分析装置が「生存ケース」の分析画面と「死亡ケース」の分析画面を有し、それぞれの分析表示動作を行うことを特徴とするライフプラン分析装置。
【請求項４】
各種個人情報データを入力してライフプランの分析をする請求項１のライフプラン分析装置において、
当該ライフプラン分析装置が、結果に対して、ライフプランが適切であるかについて、判断を加えることにより、自動判定を行い、その判定を色表示または音声発生によって区別することを特徴とするライフプラン分析装置。
【請求項５】
各種個人情報データを入力してライフプランの分析をする請求項４のライフプラン分析装置において、当該自動判定は自動判定ボタンが押されたことを契機として行うことを特徴とするライフプラン分析装置。
【請求項６】
各種個人情報データを入力してライフプランの分析をするライフプラン分析装置において、当該ライフプラン分析装置の表示画面における分析部が、収入期分析部と支出期分析部に分割され、かつ、当該収入期分析部及び当該支出期分析部が同時に画面表示されることを特徴とするライフプラン分析表示装置。
【請求項７】
各種個人情報データを入力してライフプランの分析をし、かつ、表示画面に表示する請求項１から請求項６までのライフプラン分析装置を実行するためのプログラム。
【発明の詳細な説明】
【技術分野】
【０００１】  本発明は、ライフプラン分析装置に関し、更に詳しくは、各種個人情報データを入力してライフプランの分析をするライフプラン分析装置に関する。
【背景技術】
【０００２】  従来より、保険業界やその他の業界において、各種ライフプラン分析装置が提案、使用されている。ここで、ライフプラン分析装置とは、対象者の現在の個人情報等を入力することにより、現在から将来にかけての、主として金銭面（収入、支出、資産等）における、対象者の、予想される生活状況を分析、表示する装置である。かかるライフプラン分析装置は、対象者が、現在または将来にどのような備えをすればよいかを知り、適切な保険プランの検討等を行うためには非常に利便性の高い装置である。【０００３】  また、特開平１１−２５１５５号公報（特許文献１）には、上記ライフプラン分析装置の一形態と考えられる発明が開示されている。
【特許文献１】特開平１１−２５１５５号公報
【発明の開示】
【発明が解決しようとする課題】
【０００４】  しかし、上記ライフプラン分析装置においては、はじめに条件入力部に個人情報をまとめて入力した後、この条件入力部の画面から分析結果を表示する画面へと遷移してしまい、分析結果が表示される際に個人情報が入力された条件入力部の画面が見えなくなってしまうという問題があった。このことは、分析結果を見る際に対象者の個人情報と分析結果の対比を行いにくくしてしまうこととなる。【０００５】  また、ライフプラン分析装置とは、対象者自らが使用者となるか、または、対象者への助言者が、対象者の今後のライフプランを検討、分析すべく使用するものである。そうなると当該装置によって得られた結果に基づいて、これを現在の経済活動等へフィードバックし、対象者のライフプランの再検討を行った上で、当該装置を用いて再度の分析を行う可能性が非常に高い。にもかかわらず当該装置による分析のたびに条件入力部の画面へ遷移して、個人情報の一部または全部の項目を入力し直して、また、分析結果を表示する画面へ遷移する、ということになると、現在の経済活動等のどこを改めたり、どのようなプランの保険金融商品で補完したりすればよいか等を非常に理解しづらいし、また、対象者の個人情報のうちどの項目が分析結果に大きな影響を与えているのか見えにくいという問題があった。【０００６】  よって本発明は、上記の問題点に鑑みてなされたものであり、その目的とする所は、分析結果を見る際に対象者の個人情報と分析結果の対比を行いやすくし、分析結果を現在の経済活動等へフィードバックし、対象者のライフプランの再検討を行う上での利便性を向上し、現在の経済活動等のどこを改めたり、どのようなプランの保険金融商品で補完したりすればよいか等を理解しやすくさせ、対象者の個人情報のうちどの項目が分析結果に大きな影響を与えているのか見えやすくすることを可能とするライフプラン分析装置を提供することにある。
【課題を解決するための手段】
【０００７】  上記の課題は、例えば、図１等の構成により解決される。即ち、本発明（１）のライフプラン分析装置は、各種個人情報データを入力してライフプランの分析をするライフプラン分析装置において、当該ライフプラン分析装置の表示画面が条件入力部と分析部を含み、当該条件入力部及び当該分析部が同時に画面表示されるものである。【０００８】  かかる構成をとることにより、分析結果を見る際に対象者の個人情報と分析結果の対比を行いやすくするライフプラン分析装置を提供することが可能となる。【０００９】  好ましくは、本発明（２）のライフプラン分析装置は、各種個人情報データを入力してライフプランの分析をする本発明（１）のライフプラン分析装置において、条件入力部の一の項目の入力動作の完了を契機としてライフプラン分析動作を実行し、分析結果を表示画面中の分析部に描画することにより、ライフプランの分析及び結果表示を行うものである。【００１０】  かかる構成をとることにより、分析結果を現在の経済活動等へフィードバックし、対象者のライフプランの再検討を行う上での利便性を向上し、現在の経済活動等のどこを改めたり、どのようなプランの保険金融商品で補完したりすればよいか等を理解しやすくさせ、対象者の個人情報のうちどの項目が分析結果に大きな影響を与えているのか見えやすくすることを可能とするライフプラン分析装置を提供することが可能となる。【００１１】  好ましくは、本発明（３）のライフプラン分析装置は、各種個人情報データを入力してライフプランの分析をする本発明（１）のライフプラン分析装置において、当該ライフプラン分析装置が「生存ケース」の分析画面と「死亡ケース」の分析画面を有し、それぞれの分析表示動作を行うものである。【００１２】  かかる構成をとることにより、「生存ケース」と「死亡ケース」のそれぞれのケースについてライフプランを分析することが可能となる。【００１３】  好ましくは、本発明（４）のライフプラン分析装置は、各種個人情報データを入力してライフプランの分析をする請求項１のライフプラン分析装置において、当該ライフプラン分析装置が、結果に対して、ライフプランが適切であるかについて、判断を加えることにより、自動判定を行い、その判定を色表示または音声発生によって区別するものである。【００１４】  かかる構成をとることにより、使用者にとってライフプランが適切であるか理解しやすくなる。【００１５】  好ましくは、本発明（５）のライフプラン分析装置は、各種個人情報データを入力してライフプランの分析をする請求項４のライフプラン分析装置において、当該自動判定は自動判定ボタンが押されたことを契機として行うものである。【００１６】  かかる構成をとることにより、使用者が自動判定の契機を決めることが可能となる。【００１７】  また、本発明（６）のライフプラン分析装置は、各種個人情報データを入力してライフプランの分析をするライフプラン分析装置において、当該ライフプラン分析装置の表示画面における分析部が、収入期分析部と支出期分析部に分割され、かつ、当該収入期分析部及び当該支出期分析部が同時に画面表示されるものである。【００１８】  かかる構成をとることにより、使用者は収入期と支出期の対比を行うことが可能となり、収入期と支出期の経済構造の相違を使用者が強く認識でき、支出期へ向けた備えへの意識づけを行うことが可能となる。【００１９】  また、好ましくは、本発明（７）のプログラムは、各種個人情報データを入力してライフプランの分析をし、かつ、表示画面に表示する本発明（１）から本発明（６）までのライフプラン分析装置を実行するためのものである。【００２０】  かかる構成をとることにより、当該ライフプラン分析装置を実行させるプログラムを提供することが可能となる。
【発明の効果】
【００２１】  本発明（１）によれば、分析結果を見る際に対象者の個人情報と分析結果の対比を行いやすくするライフプラン分析装置を提供することが可能となる。【００２２】  本発明（２）によれば、分析結果を現在の経済活動等へフィードバックし、対象者のライフプランの再検討を行う上での利便性を向上し、現在の経済活動等のどこを改めたり、どのようなプランの保険金融商品で補完したりすればよいか等を理解しやすくさせ、対象者の個人情報のうちどの項目が分析結果に大きな影響を与えているのか見えやすくすることを可能とするライフプラン分析装置を提供することが可能となる。【００２３】  本発明（３）によれば、「生存ケース」と「死亡ケース」のそれぞれのケースについてライフプランを分析することが可能となる。【００２４】  本発明（４）によれば、使用者にとってライフプランが適切であるか理解しやすくなる。【００２５】  本発明（５）によれば、使用者が自動判定の契機を決めることが可能となる。【００２６】  本発明（６）によれば、使用者は収入期と支出期の対比を行うことが可能となり、収入期と支出期の経済構造の相違を使用者が強く認識でき、支出期へ向けた備えへの意識づけを行うことが可能となる。【００２７】  本発明（７）によれば、当該ライフプラン分析装置を実行させるプログラムを提供することが可能となる。
【発明を実施するための最良の形態】
【００２８】  本発明を実施するための最良の形態は、以下に示す実施例に記載するとおりである。
【実施例】
【００２９】  以下、添付図面に従って本発明に好適なる実施例を詳細に説明する。なお、全図を通して同一符号は同一又は相当部分を示すものとする。【００３０】  図１は、本発明の実施例におけるライフプラン分析装置のハードウエア構成を示すブロック図である。また、図２は、本発明の実施例におけるライフプラン分析装置の外観を示す外観図である。図１及び図２において、１１は制御手段であるＣＰＵ、ＢはメインＣＰＵバスであり、前記ＣＰＵ１１と接続されていて、当該ＣＰＵ１１のバスとして働く。すなわち、当該ライフプラン分析装置の多くの構成要素はこのメインＣＰＵバスＢに接続されており、メインＣＰＵバスＢを介してＣＰＵ１１とデータのやりとり等を行うこととなる。この結果メインＣＰＵバスＢを中心として、ＣＰＵ１１を制御手段としたシステムが形成されており、当該ライフプラン分析装置はこのシステムによって実現されている。【００３１】  １２は当該装置を起動したり、当該装置内の各構成要素を動作させる、等のプログラムを格納した不揮発性記憶手段であるＲＯＭ、１３はアプリケーションプログラムを一時記憶したり、当該装置を動作させるためのワークエリアとして使用したり等するための一時記憶手段としてのＲＡＭである。上記のＲＯＭ１２、ＲＡＭ１３はいずれも前記ＣＰＵバスＢに接続されている。【００３２】  また、１４はＶＲＡＭ（ＶＩＤＥＯ−ＲＡＭ）であり、ＶＲＡＭ１４もメインＣＰＵバスＢに接続されるとともに一方でコネクタやケーブル等を介して、表示手段としてのディスプレー１５に接続されている。また、１５ａは当該ディスプレー１５の表示面の外縁を示している。【００３３】  一方、１６はマウスＩＦであり、１７は画面内の位置指定等に係る、第一の入力手段としてのマウスである。操作者は上記ディスプレー１５に表示される画面を見ながら、マウス１７を動かすことによって、画面上の任意の位置に、図示しないカーソルを移動させることができ、ここで図２に示したマウス１７のボタンをクリックすることにより画面内の任意の位置を指定することができる。このマウス１７は前記マウスＩＦ１６に接続されており、当該マウスＩＦ１６は、マウス１７とメインＣＰＵバスＢとのデータのやりとりの仲介等をするものである。すなわち、前記マウスＩＦ１６はメインＣＰＵバスＢに接続されているため、上記マウス１７とＣＰＵ１１は情報の伝達が可能である。【００３４】  また、１８はキーボードＩＦであり、１９は文字入力に係る、第二の入力手段としてのキーボードである。操作者はキーボード１９のキーをたたくことによって、当該キーに対応する文字を入力させることができる。キーボード１９は前記キーボードＩＦ１８に接続されており、当該キーボードＩＦ１８は、キーボード１９とメインＣＰＵバスＢとのデータのやりとりの仲介等をするものである。すなわち、前記キーボードＩＦ１８はメインＣＰＵバスＢに接続されているため、上記キーボード１９とＣＰＵ１１は情報の伝達が可能である。【００３５】  次に、２０は大容量記憶手段としてのハードディスクである。当該ハードディスク２０もメインＣＰＵバスＢに接続されていて、アプリケーションプログラムや各対象者のライフプランの分析結果���ータ等が保存格納されている。そして、当該ハードディスク２０には大量のデータを保存格納しておくことが可能である。【００３６】  また、２１はＤＡ変換器であり、２２は音声出力手段としてのスピーカーである。ＤＡ変換器２１はデジタルデータをアナログデータに変換するものであり、出力側はスピーカー２２に、入力側はメインＣＰＵバスＢに接続されている。この結果、ＣＰＵ１１等からデジタル音声信号をメインＣＰＵバスＢを介して当該ＤＡ変換器２１へ送ることにより、スピーカー２２から音声を出力することができる。【００３７】  また、２３は音声入力手段としてのマイクロホンであり、２４はＡＤ変換器である。当該マイクロホン２３の出力は、ＡＤ変換器２４の入力に接続されており、ＡＤ変換器２４の出力はメインＣＰＵバスＢに接続されている。この結果、マイクロホン２３から音声を入力すれば、これをデジタル方式に変換した音声信号データをメインＣＰＵバスＢに取り込むことが可能であり、この結果、当該音声信号データをＣＰＵ１１で取り扱う等のことが可能である。【００３８】  さらには、当該メインＣＰＵバスＢには、第一の通信手段である通信ＩＦ−Ａ２５及び第二の通信手段である通信ＩＦ−Ｂ２６が接続されている。これらは他の情報機器等と通信するために、それぞれの通信プロトコル等に適応させてデータ形式を変換する等の機能を有している。本実施例では通信ＩＦ−Ａ２５は上記メインＣＰＵバスＢとの反対側で外部通信網と接続され、通信ＩＦ−Ｂ２６は上記メインＣＰＵバスＢとの反対側でプリンター２７と接続されている。よって、当該ライフプラン分析装置は通信ＩＦ−Ａ２５を介して、例えばＬＡＮやインターネット等と接続可能であり、一方で通信ＩＦ−Ｂ２６を経由してプリンター２７に画面表示内容や各対象者のライフプランの分析結果等を出力させることができる。但し、ＬＡＮやインターネット、プリンター２７等との接続はあってもなくてもよい。【００３９】  以上、図１のブロック図で示したもののうち、ディスプレー１５、マウス１７、キーボード１９、プリンター２７の部分は図２に示すように筐体Ａの外部にて使用され、筐体Ａと各種ケーブル等で接続されて使用される。また外部通信網は図２には示さないが、当然に筐体Ａの外部にある。一方、上記以外の部分は筐体Ａの内部に収納されている。筐体Ａには当該装置への通電や切断をつかさどる電源ボタンＭＳＷが装備されている。本実施例においてはこれらをあわせて当該ライフプラン分析装置を構成するが、必ずしも上記ブロック図等で示したすべてが本発明における必須の構成要素とは限らない。【００４０】  以上の構成において、当該ライフプラン分析装置の動作について、以下の各図を用いて説明する。【００４１】  図３は、当該ライフプラン分析装置の使用開始及び終了に関連する動作のフローチャートである。【００４２】  まず、使用者が図２に示した筐体Ａにある電源ボタンＭＳＷを押すことにより、当該ライフプラン分析装置全体に通電がなされる。この初期通電の直後にはパワーオンリセットが作動し、このリセットが解除されたならば、図３（ａ）に示した電源投入以後の動作を示すフローチャートへ進む。当該フローチャートにおいて、最初に��ＰＵ１１は初期シーケンスを実行し（Ｓ３０１）、その後、当該装置は通常状態へ入る（Ｓ３０２）。通常状態ではディスプレー１５に当該ライフプラン分析装置起動用のアイコン等が表示された状態にある。そして通常状態では、強制終了の条件が発生するかどうかをポーリングにて監視していて（Ｓ３０２，Ｓ３０３）、もし、何らかの要因または使用者の操作によって強制終了すべき場合を検出したならば、ＣＰＵ１１は終了シーケンスを実行し（Ｓ３０４）、その後、当該装置はシャットダウンし、当該装置への通電は止まる。【００４３】  一方、上記の通常状態、ポーリング動作等の状態（Ｓ３０２，Ｓ３０３）において、使用者がマウス１７を操作し、ディスプレーｌ５に表示される終了メニューを選択したならば、マウスＩＦ１６はＣＰＵ１１に割り込みを発生させる。ＣＰＵ１１が割り込み要因を解析した結果、終了メニューによる終了割り込みであると判断すると、ＣＰＵ１１は、上述したポーリング動作等（Ｓ３０２，Ｓ３０３）を中止し、当該装置の動作は、図３（ｂ）に示すシャットダウン時の動作を示すフローチャートへと強制的に移行する。このフローチャートでＣＰＵ１１は終了シーケンスを実行し（Ｓ３１１）、その後、上記の強制終了の場合と同様に当該装置はシャットダウンし、当該装置への通電は止まる。【００４４】  一方、上記の通常状態、ポーリング動作等の状態（Ｓ３０２，Ｓ３０３）において、使用者がマウス１７を操作し、ディスプレー１５に表示されている当該ライフプラン分析装置起動用のアイコンを当該マウス１７で指示しダブルクリックしたとする。するとここでもマウスＩＦ１６はＣＰＵ１１に割り込みを発生させる。ＣＰＵ１１が割り込み要因を解析した結果、当該ライフプラン分析装置起動の割り込みであると判断すると、ＣＰＵ１１は、上述したポーリング動作等（Ｓ３０２，Ｓ３０３）を中止し、当該装置の動作は、図３（ｃ）に示す当該ライフプラン分析装置起動時の動作を示すフローチャートへと強制的に移行する。【００４５】  このフローチャートでは、まず、ＣＰＵ１１はハードディスク２０から当該ライフプラン分析装置を動作させるためのアプリケーションプログラムを順次読み込み、ＲＡＭ１３へ一時記憶させる（Ｓ３２１）。そして、当該アプリケーションプログラムをＲＡＭ１３の先頭アドレスから順に実行することにより、ライフプラン分析装置を動作させる。【００４６】  次に、ＣＰＵ１１は、まず、当該ライフプラン分析装置の実行のためにＲＡＭ１３内の領域を確保する（Ｓ３２２）。どのように確保するかの様子を図４に示す。図４は、当該ライフプラン分析装置の実行のためにＲＡＭ１３内に確保される各領域の様子を示す図である。図４において、アプリケーションプログラムが格納されたアプリケーションプログラムを読み込むプログラムエリア１３ａはＲＡＭ１３の先頭アドレスから始まり、アプリケーションプログラムの大きさ分だけの領域を既に占めている。ＣＰＵ１１は、この領域に隣接する次の領域から、ＲＡＭ１３の残りの領域を、現在の通常状態画面の背景画像を退避させるための退避エリア１３ｂ、ＣＰＵ１１が作業をするためのワークエリア１３ｃ、入力中の文字データを一時格納しておくための文字用ワークエリア１３ｄ、後述する条件入力部より入力され、ライフプラン分析のための演算に使用する各種個人情報データを一時格納しておくためのパラメーターエリア１３ｅのエリアに分割し、領域を確保する（Ｓ３２２）。そしてＲＡＭ１３中の残ったその他の領域は１３ｆとなる。【００４７】  上記の領域確保作業が終わったら、ＣＰＵ１１は、通常状態（Ｓ３０２）における背景画像データをＶＲＡＭ１４から読み出し、さきほど確保した退避エリア１３ｂへ当該背景画像データを待避させ一時記憶させる（Ｓ３２３）。【００４８】  その後、上記の背景画像データの待避工程（Ｓ３２３）が終了したら、ＣＰＵ１１は、当該ライフプラン分析装置を、稼働状態にセットし（Ｓ３２４）、以下に示すように当該装置が動作しうる状態を作り上げて、条件入力部の各項目の入力待ちとなることとなる（Ｓ３２４）。そして、ＣＰＵ１１は、当該ライフプラン分析装置の表示画面をディスプレー１５に描画表示させる（Ｓ３２５）。以上の動作により、当該ライフプラン分析装置は起動されることとなる。【００４９】  ここで、当該、ライフプラン分析装置において、各種画面をディスプレー１５に描画表示させる場合について、詳しく説明すると次のようになる。すなわち、ＣＰＵ１１は、例えば、ＲＡＭ１３のワークエリア１３ｃ上で画面の全部または一部に表示すべき画像のイメージデータを構築する。そして、このイメージデータをＶＲＡＭ１４に書き込むことによって各種画面はディスプレー１５に描画表示されることとなる。【００５０】  ここで、ＶＲＡＭ１４はディスプレー１５のすべての色×全画素分以上の記憶容量を持っていて、かつ、デュアルポートＲＡＭ構成となっているものが多い。そしてそのポートの一端はメインＣＰＵバスＢと接続されていて、他端はディスプレー１５と接続されている。当該各色、各画素へは、メインＣＰＵバスＢ側からＣＰＵ１１がアクセスするために、当該ＣＰＵ１１のアドレス空間中にアドレスが割り当てられていて、この結果、ＣＰＵ１１側からは任意の画素に対してリードライトのアクセスが可能である。つまりＣＰＵ１１側からはランダムアクセスが可能な構成になっている。【００５１】  一方、ディスプレー１５とＶＲＡＭ１４の接続関係であるが、ディスプレー１５は（たとえ静止画の表示であっても）、一定の速度で、全色全画素を走査し、画面の更新を繰り返すことによって画面を表示している。よって、ディスプレー１５からは、各色、各画素について、当該ＶＲＡＭ１４の最初のアドレスから最後のアドレスまでを順に一定速度で読み出してそれをディスプレー１５の各色、各画素へ転送するという構成になっている。これを常時繰り返すことによって、ディスプレー１５への描画がなる。【００５２】  以上の構成によれば、ＣＰＵ１１側からは、画面上の任意の色、任意の画素について常時書き換えが可能であり、画面上の全部を書き換えたい場合は、例えば、例えば、ＲＡＭ１３のワークエリア１３ｃ上で画面の全部のイメージデータを構築しておいて、それらをＶＲＡＭ１４に転送書き込みを行い、当該ＶＲＡＭ１４の内容をフルに書き換えれば、画面上の全部の書き換えが実現できる。一方、画面の一部だけ書き換えたい場合は、���面上の当該書き換えたい位置の色や画素に相当するＶＲＡＭ１４のアドレスをアクセスし、その色や画素の部分のみの内容を書き換えれば、画面の一部だけの書き換えが実現できる。【００５３】  再び、図３の当該ライフプラン分析装置の使用開始及び終了に関連する動作のフローチャートに戻るが、上記のようにライフプラン分析装置が稼働状態にあって、かつ、使用者がマウス１７を操作し、ディスプレー１５に表示されている当該ライフプラン分析装置の終了メニューを選択したり直帰ボタンを押したりしたならば、マウスＩＦ１６はＣＰＵ１１に割り込みを発生させる。ＣＰＵ１１が割り込み要因を解析した結果、当該ライフプラン分析装置の終了メニューによる終了割り込みや直帰ボタンによる終了割り込みであると判断すると、当該装置の動作は、図３（ｄ）に示す当該ライフプラン分析装置終了時の動作を示すフローチャートへと強制的に移行する。【００５４】  このとき、まず、ＣＰＵ１１は、上記の稼働状態（Ｓ３２４）を解除する（Ｓ３３１）。そして、ＣＰＵ１１は、あらかじめＲＡＭ１３中の退避エリア１３ｂへ待避しておいた背景画像データを読み出し、これを用いて上記通常状態（Ｓ３０２）の時の元の画面を再現し、ＶＲＡＭ１４にこれを書き込むことによって、ディスプレー１５に描画表示させる（Ｓ３３２）。そして最後にＣＰＵ１１は、ＲＡＭ１３のプログラムエリア１３ａに読み込まれている当該ライフプラン分析装置を動作させるためのアプリケーションプログラムを廃棄し（Ｓ３３３）（当該エリアのアドレスが自由に使用可能になったことにすれば足りる。）、当該ライフプラン分析装置の動作を終了する。この結果、当該装置は、上記図３（ａ）にいう上記の通常状態、ポーリング動作等の状態（Ｓ３０２，Ｓ３０３）に戻る。以上の動作により、当該ライフプラン分析装置は終了されることとなる。【００５５】  以上、図３の当該ライフプラン分析装置の使用開始及び終了に関連する動作の説明を行い、当該ライフプラン分析装置の起動時、終了時の動作について説明してきたが、次に、当該装置の起動後の動作について以下、詳細に説明する。【００５６】  次の図５及び図６は、ともに、上記の起動動作によって起動される当該ライフプラン分析装置の表示画面の一例を示す図である。【００５７】  図５は、「生存ケース」における当該ライフプラン分析装置の表示画面の一例を示す図である。この場合は対象者である夫（「ご主人」）が６５歳以降も生存し、長寿であった場合の対象者一家のライフプランの分析に使用される。【００５８】  図６は、「死亡ケース」における当該ライフプラン分析装置の表示画面の一例を示す図である。この場合は対象者である夫（「ご主人」）が６５歳に到達する前に死亡した場合の対象者一家のライフプランの分析に使用される。【００５９】  本実施例においては、当該ライフプラン分析装置を起動されると、既に図３（ｃ）で説明した工程によって起動動作がなされ、図３（ｃ）にいう表示画面の描画表示動作（Ｓ３２５）によって、図５の「生存ケース」における当該ライフプラン分析装置の表示画面が表示されることとなる。この表示がなされたときには、すでに図３（ｃ）で述べたように、当該ライフプラン分析装置��稼働状態にあり、当該装置が動作しうる状態になっていて、条件入力部の各項目の入力待ちの状態となっている（Ｓ３２４）。もっとも、起動時に「死亡ケース」における当該ライフプラン分析装置の表示画面が表示される構成をとってもよいし、また、「生存ケース」と「死亡ケース」の画面を１つの表示画面にレイアウトして表示しても構わない。しかし、本実施例においては「生存ケース」と「死亡ケース」は別画面であり、起動時には「生存ケース」の表示画面の表示がなされることとする。【００６０】  図５及び図６において、１５ａは当該ディスプレー１５の表示面の外縁を示している。８１はスタートメニュー等のアイコンが配置されたシステム関連の表示部である。【００６１】  そして、５１は当該ライフプラン分析装置の表示画面であり、図５及び図６に示すように表示されている。【００６２】  次に、当該表示画面５１には、条件入力部５２と分析部５３が含まれている。よって、当該表示画面では、当該条件入力部５２と当該分析部５３は同時に画面表示されることとなる。また当該分析部５３にはその境界線５４を境にして左側に５５に示す収入期分析部（本実施例では当該収入期の設定として６５歳前を対象としている。尚、「死亡ケース」では夫の６５歳前を示している。）を、右側に５６に示す支出期分析部（本実施例では当該支出期の設定として６５歳後を対象としている。尚、「死亡ケース」では配偶者の老後を示している。）を、それぞれ分離した形で含むものである。【００６３】  尚、本実施例においては、上記のように分析部を収入期分析部５５と支出期分析部５６に分割して表示するが、これは、分析対象である人生全体の分析を「収入期」と「支出期」に分けて考えるという意味がある。人の人生は各種支出をしながら生活をするが、一定年齢（例えば６５歳）までは、収入を得て生活費などの消費を行いながら生活をするので収入期と定義でき、一方、当該一定年齢以降は収入がなくなるが、生活費などの支出は必要であるため支出期と定義できる。【００６４】  つまり、当該収入期と支出期では対象者の経済構造が激変するため、いま、収入期にあると考えられる多くの使用者にもその認識を強く持たせる必要がある。よって本実施例の構成をとることにより、使用者は収入期と支出期の対比を行うことが可能となり、収入期と支出期の経済構造の相違を使用者が強く認識でき、支出期へ向けた備えへの意識づけを行うことが可能となる。但し、上記のような分割を行わない実施例も想定しうる。【００６５】  以上の結果、本実施例では、表示画面５１である長方形の領域の画面内で、左側部分の約３分の１の領域は条件入力部５２となり、中央部分の約３分の１の領域は分析部５３中の収入期分析部５５となり、右側部分の約３分の１の領域は支出期分析部５６となる。本実施例ではこのようなレイアウトで表示画面５１が表示されている。よって、条件入力部５２、収入期分析部５５及び支出期分析部５６もまた同時表示されている。【００６６】  ５７は自動判定ボタンであり、５８ａは収入期分析部判定信号、５８ｂは支出期分析部判定信号、である。５９ａは「生存ケース」の表示画面にだけ存在する「死亡ケース」遷移ボタンであり、５９ｂは「死亡ケース」の表示画面にだけ存在する「生存ケース」遷移ボタンである。「生存ケース」の表示画面と「死亡ケース」の表示画面とはそれぞれ「死亡ケース」遷移ボタン５９ａ（「生存ケース」の画面表示時）、または「生存ケース」遷移ボタン５９ｂ（「死亡ケース」の画面表示時）をマウス１７でクリックすることにより、使用者は、互いの表示画面へ遷移させることができることとなる。【００６７】  また、図中のＮは当該画面を印刷するための印刷ボタン、Ｏは当該画面や計算結果等をハードディスク２０に保存するための保存ボタン、Ｐはこれを押せば、当該ライフプラン分析装置が起動する前の状態に戻し、当該ライフプラン分析装置を終了させるための手段の１つとなる直帰ボタンである。これら印刷ボタンＮ、保存ボタンＯ、直帰ボタンＰを機能ボタンと総称する。【００６８】  「生存ケース」及び「死亡ケース」では、将来への起こりうる状況が異なり、そのため、分析を行う上での計算式等が一部異なるが、動作についてはほぼ同じであるため、動作の大枠が共通であることを前提として、当該ライフプラン分析装置の説明を続ける。尚、異なる点については、その都度説明することとする。【００６９】  表示画面５１中の条件入力部５２には、対象者の現在の各種個人情報データを入力してライフプランの分析をするための各種個人情報データの条件入力に関する中項目が含まれており、その中項目ごとに、対象者の現在の各種個人情報データを入力してライフプランの分析をするための条件入力に関する小項目が含まれている。そして当該中項目とこれに関連する上記小項目は整然と画面上に並んでいる。条件入力に関する中項目は、例を挙げると「家族の情報」、「教育プラン（全員共通）」、「収入」、「生存時の毎月生活費」、「住宅プラン」、「預貯金プラン」といった項目が並ぶ。加えて、条件入力に関する中項目として「生命保険対策」という中項目を表示してもよいが、「生命保険対策」の中項目やそれ以下の小項目といった保険に関する事項は、当初隠しておいて、後述する自動判定ボタンの使用後（クリック後）や、一旦、「死亡ケース」の表示画面へ移行した後等にはじめて表示する構成をとっても構わない。【００７０】  ここでまず、中項目「家族の情報」の下には、「ご主人」、「配偶者」、「子供１」・・・等の小項目が並ぶ。これら小項目の横には各小項目に対応した文字入力型入力位置Ｊがそれぞれ配置してあり、後述する方法にて文字入力が可能である。この「家族の情報」には家族構成や年齢を入力するために存在し、家族として存在する人の小項目の文字入力型入力窓Ｊに年齢を入力することにより、当該ライフプラン分析装置に家族構成としての存在とその人の年齢を入力することができる。【００７１】  次に、中項目「教育プラン」の下には、「幼稚園」、「小学校」、「中学校」・・・等の小項目が並ぶ。本実施例における当該項目群は、子供の教育プランについて設定するものであり、本実施例では簡単のため子供全員が同じ種類の学校等を選択するとして、幼稚園から最終学歴までを選択、設定するとともに大学時代の下宿／自宅の別を選択、設定する。これらの小項目では択一型選択入力ボタンＫをそれぞれ使用してあり、後述する方法にて、マウス１７を��用して使用者に選択させることとする。そしてその選択結果をそれぞれの選択結果表示位置Ｌに表示する形態をとる。【００７２】  また、中項目「収入」の下には、「主収入」、「退職金」、「副収入」の小項目が並ぶ。ここでも使用者が各小項目に対応した文字入力型入力位置Ｊに額を文字入力する。一方、年金が厚生年金か国民年金かを選択するための小項目もあり、ここには択一型選択入力ボタンＫが用意されていて、上記同様マウス１７を使用して使用者に選択させることとする。一方、この収入の中項目においては、なかなか収入を直接入力するのを気分的に躊躇したり、または、自分の収入を把握していない人もいたりする。このような場合に備え、参考値表示位置Ｍが、小項目「主収入」、「退職金」の文字入力型入力位置Ｊの横にそれぞれ用意されており、上記入力された対象者（「ご主人」）の年齢や、やはり上記入力した年金の種類が厚生年金か国民年金かの種類をＣＰＵ１１は読み取って、ＲＡＭ１３のプログラムエリア１３ａ内のアプリケーションプログラム中にある変換テーブルから、小項目「主収入」、「退職金」の額の参考値を読み出してきて、当該小項目に対する参考値表示位置Ｍにこれを表示する。よって、これを参考にすることができるので、使用者は、小項目である上記「主収入」、「退職金」の額を容易に文字入力型入力位置Ｊに入力することができる。【００７３】  また、中項目「生存時の毎月生活費」の下には、「生活費」の小項目が並ぶ。ここも文字入力型入力位置Ｊで使用者が額を入力するのだが、これも額がわかりにくいため、上記入力した対象者（「ご主人」）の年齢と年収から簡単な演算を行って、「生活費」の額の参考値を演算して、当該小項目に対する参考値表示位置Ｍにこれを表示する。よって、これを参考にすることができるので、使用者は、小項目である上記「生活費」の額を容易に文字入力型入力位置Ｊに入力することができる。【００７４】  また、中項目「住宅プラン」の下には、「年家賃」、「購入頭」（頭金）、「ローン」、「万一時に住宅購入するか？」等の小項目が並ぶ。「万一時に住宅購入するか？」の小項目は、択一型選択入力ボタンＫを使用して「する」、「しない」を選択し、その選択結果を当該小項目の選択結果表示位置Ｌに表示する形態をとる。それ以外の中項目「住宅プラン」の下の小項目は文字入力型入力位置Ｊの手段により内容を文字入力する。【００７５】  また、中項目「預貯金プラン」の下には、「現在の預貯金額」、「毎年の預貯金額」、「預貯金の金利」といった小項目が並ぶ。これらはそれぞれの額を容易に当該小項目に対する文字入力型入力位置Ｊに入力することができる。但し、「現在の預貯金額」の小項目については、年齢と年収から参考額を計算し、当該小項目に対する参考値表示位置Ｍにこれを表示する。【００７６】  そして、中項目「生命保険対策」の下には、「収入保障保険」、「何歳迄必要か」等の小項目が並ぶ。これもこれらはそれぞれの額を容易に当該小項目に対する文字入力型入力位置Ｊに入力することができる。またこれらの値を入力したならは、現在の年金現価や保険料等を演算し、参考値として当該小項目に対する参考値表示位置Ｍにこれを表示する。【００７７】  以上が本実��例における入力部における項目であるが、項目は上記に限られず、他の項目を含めたり、大項目等を設けたりしても構わない。要は、ライフプランの分析を行う上で必要な個人情報等の項目が入力できれば足りる。【００７８】  このような各小項目に対して、使用者が実際に入力を行い、分析する場合の当該ライフプラン分析装置の動作は図７のフローチャートに示す。すなわち、図７は、使用者が実際に入力を行い、分析する場合の当該ライフプラン分析装置の動作を示すフローチャートである。以下、当該図７、図１、図４等を用いて説明する。【００７９】  図７（ａ）は使用者がマウス１７を使用して入力項目を指定する際の動作を示すフローチャートである。今、図３（ｃ）の起動工程が終了した後であって、当該ライフプラン分析装置には表示画面があらわれていて、稼動状態（Ｓ３２４）にあるとする。ここで使用者は入力しようとする小項目を決定したならば、マウス１７を用いて、当該画面上にあるその小項目に対応した文字入力型入力位置Ｊまたは択一型選択入力ボタンＫの位置にカーソルを持っていき、左クリックを行う。【００８０】  使用者がマウス１７を用いて左クリックを行ったならば、当該ライフプラン分析装置では、図１にいうマウスＩＦ１６がＣＰＵ１１に対してマウスクリック割り込みを発生して、マウスクリックフラグをアサートする。また、マウスＩＦ１６は当該マウス１７がクリックされた画面上のクリック位置を当該マウスＩＦ１６内のマウスクリック位置レジスタに記憶格納する。ＣＰＵ１１は、上記マウスクリック割り込みを受けると、当該マウスクリックフラグをリードして割り込み要因を解析することにより、当該マウス１７がクリックされたことを知り、当該マウスクリックフラグをネゲートする。このようにして当該ＣＰＵ１１がマウス１７のクリックを知ると、図７（ａ）のフローチャートにおいて、ＣＰＵ１１は当該マウスＩＦ１６内のマウスクリック位置レジスタをリードすることにより、使用者がマウス１７のクリックによって指定された指定位置を検出し（Ｓ７０１）、そしてＣＰＵ１１はＲＡＭ１３のワークエリア１３ｃに一時記憶させる（Ｓ７０１）。次にＣＰＵ１１は、その指定位置が文字入力型入力位置Ｊであるか、または択一型選択入力ボタンＫまたは印刷ボタンＮ等の機能ボタンのボタン類であるかといった、その位置が何らかの入力が施されるべき入力位置であるかどうかを判断する（Ｓ７０２）。入力位置は当該ＲＡＭ１３のプログラムエリア１３ａに表示画面に関する位置情報を持っているわけであるから、マウス１７による指定位置をこれらと比較することにより、入力位置であるかどうかを判断する（Ｓ７０２）。もしも入力位置でなかった場合、当該フローは終了して、初期の稼動状態（Ｓ３２４）に戻る。【００８１】  上記クリックによって指定された指定位置が入力位置であると判断されたならば（Ｓ７０２）、次に上記クリックによる指定位置である入力位置が文字入力型入力位置Ｊであるか択一型選択入力ボタンＫまたは機能ボタンのボタン類であるかを判断する（Ｓ７０３）。これについても、当該ＲＡＭ１３のプログラムエリア１３ａに表示画面に関する位置情報を持っているので、マウス１７による指定位置とこれらを比較することにより、文字入力型入力位置Ｊであるか択一型選択入力ボタンＫまたは機能ボタンのボタン類であるかを判断する（Ｓ７０３）。【００８２】  もしここで当該指定位置が文字入力型入力位置Ｊであったならば（Ｓ７０３）、当該指定した小項目の文字入力型入力位置Ｊを入力待ち状態に変化させる（Ｓ７０４）。そして、当該指定した小項目の文字入力型入力位置Ｊが入力待ち状態になったことを示すべく、その位置を入力待ち画面の形式で描画する（Ｓ７０５）。描画動作は上述したようにＶＲＡＭ１４にデータを書き込むことにより行い、当該文字型入力位置Ｊに係る部分について入力待ち画面の形式の描画データを当該ＲＡＭ１３のプログラムエリア１３ａから読み出して書き込むことにより、上記描画は達成される（Ｓ７０５）。【００８３】  一方、当該指定位置が択一型選択入力ボタンＫまたは機能ボタンのボタン類であると判断された場合（Ｓ７０３）、さらに、択一型選択入力ボタンＫであるか機能ボタンであるかの判断を加える（Ｓ７０６）。この判断についても、当該ＲＡＭ１３のプログラムエリア１３ａに表示画面に関する位置情報を持っているので、マウス１７による指定位置とこれらを比較することにより、択一型選択入力ボタンＫであるか機能ボタンであるかは判断される（Ｓ７０６）。もし、当該指定位置が択一型選択入力ボタンＫであると判断されたならば（Ｓ７０６）、当該小項目の入力が択一型選択入力ボタンＫをマウス１７でクリックすることによりなされたことになるので、当該選択された選択条件データをＲＡＭ１３内のパラメーターエリア１３ｅ内の当該小項目のデータを格納すべきアドレスの領域に書き込んで、データを得る（Ｓ７０７）。そして、当該小項目と択一型選択入力ボタンＫに対応した選択結果表示位置Ｌに表示する。表示の方法は同様にＶＲＡＭ１４の当該表示位置に相当するアドレスに当該選択結果の描画データを書き込むことにより達成される（Ｓ７０８）。【００８４】  最後に、当該指定位置が機能ボタンであると判断されたならば、当該機能を実現する動作を実行する（Ｓ７０９）。以上が、使用者がマウス１７を使用して入力項目を指定する際の動作である。【００８５】  このようにして、使用者がマウス１７を使用して入力項目を指定し、それが文字入力型入力位置Ｊであった場合、上記の通り、当該指定した小項目の文字入力型入力位置Ｊを入力待ち状態に変化して（Ｓ７０４）、その位置を入力待ち画面の形式で描画されているわけであるが（Ｓ７０５）、この場合の文字入力は、次の図７（ｂ）に示す１文字入力の動作のフローチャートの要領で行われる。【００８６】  今、使用者によって、キーボード１９から１文字の文字コードが入力されると、当該ライフプラン分析装置では、図１にいうキーボードＩＦ１８はＣＰＵ１１に対して１文字入力割り込みを発生して、１文字入力フラグをアサートする。また、キーボードＩＦ１８は当該キーボード１９によって入力された１文字の文字コードを当該キーボードＩＦ１８内の文字コード格納レジスタに記憶格納する。ＣＰＵ１１は、上記１文字入力割り込みを受けると、当該１文字入力フラグをリードして割り込み要因を解析することにより、当該キーボード１９から１文��の文字コードが入力されたことを知り、当該１文字入力フラグをネゲートする。このようにして当該ＣＰＵ１１がキーボード１９からの１文字の文字コード入力を知ると、図７（ｂ）のフローチャートにおいて、ＣＰＵ１１は当該キーボードＩＦ１８内の文字コード格納レジスタをリードすることにより、使用者がキーボード１９の操作によって入力された１文字の文字コードを読み出し（Ｓ７１１）、そしてＣＰＵ１１はＲＡＭ１３の文字用ワークエリア１３ｄに一時記憶させる（Ｓ７１１）。【００８７】  次に、ＲＡＭ１３内のＲＡＭ１３のワークエリア１３ｃをアクセスして、上記図７（ａ）で検出した指定位置（Ｓ７０１）を参照する。この指定位置が当該文字情報を入力すべき位置である。よってＣＰＵ１１は、ＶＲＡＭ１４をアクセスすることにより、当該指定位置に、今読み出した文字コードに相当する１文字を描画する（Ｓ７１３）。描画が完了したら、１文字入力した分画面上の文字入力位置が１文字ずれるため、その新しい位置情報を得て、上記ＲＡＭ１３のワークエリア１３ｃをアクセスして、指定位置の情報を更新する（Ｓ７１４）。このようにして１文字または同様の動作にて２文字目以降も入力できることとなる。【００８８】  本ライフプラン分析装置においては、ある小項目においてこのようにして１文字または数文字が入力されて、その文字が確定され、当該項目の入力動作が完了すると、これを契機としてライフプランの分析表示動作が開始される。その動作について、図７（ｃ）に示す当該装置における分析動作のフローチャートを用いて説明する。【００８９】  まず、今、当該指定した小項目の文字入力型入力位置Ｊを入力待ち状態にあって（Ｓ７０４）、使用者によって、上記の方法によって何文字が入力された後（文字入力がされない状態の時でも構わないが）、キーボード１９からＥＮＴＥＲの文字コードが入力されると、当該ライフプラン分析装置では、図１にいうキーボードＩＦ１８はＣＰＵ１１に対して文字入力確定割り込みを発生する。また、上記の状態でマウス１７が動かされることによって、当該文字入力型入力位置Ｊ以外の部分が指示され、マウス１７がクリックされることによってもマウスＩＦ１６はＣＰＵ１１に対して文字入力確定割り込みを発生する。一方で、上記図３（ａ）の入力項目指定の動作においても説明したが、マウス１７に指示されクリックされることによって、択一型選択入力ボタンＫが押された場合にもマウスＩＦ１６はＣＰＵ１１に対して文字入力確定割り込みを発生する。この場合、キーボードＩＦ１８またはマウスＩＦ１６には文字入力確定フラグがアサートされる。【００９０】  上記のように、文字入力が確定される等して、文字入力確定割り込みが発生されたならば、ＣＰＵ１１は、これを契機として、以下に示すライフプラン分析装置の分析動作を開始、実行する。【００９１】  まず、ＣＰＵ１１は、上記文字入力確定割り込みを受けると、当該文字入力確定フラグをリードして割り込み要因を解析することにより、文字入力が確定されたことを知り、当該入力確定フラグをネゲートする。このようにして当該ＣＰＵ１１が文字入力の確定を知ると、ＣＰＵ１１はＲＡＭ１３の文字用ワークエリア１３ｄに一時記憶させてお���た１文字もしくは数文字の文字コード（Ｓ７１１）を読み出し、それらが数値データである場合は、さらにこれを数値に変換して、数値として認識し、これをＲＡＭ１３のパラメーターエリア１３ｅに格納する。尚、パラメーターエリア１３ｅは小項目ごとにデータを格納すべきアドレスの領域が確保されてあるので、今、使用者によって指定され、文字が入力された小項目に対応する、パラメーターエリア１３ｅ内のアドレスの領域に、当該文字コードまたは数値データを書き込むことにより、当該ライフプラン分析装置は当該小項目に対する個人情報データを得られることとなる（Ｓ７２１）。【００９２】  続いて、ＣＰＵ１１は、上記ＲＡＭ１３のパラメーターエリア１３ｅに格納されている全小項目に対応するアドレスを順にアクセスすることにより、すべての小項目に対する個人情報データ（パラメーター）を順に読み出し（Ｓ７２２）、これを順に当該ＲＡＭ１３中のワークエリア１３ｂに書き出していく。これによりすべての小項目に対する個人情報データ（パラメーター）がワークエリア１３ｂに集められる。【００９３】  次にＣＰＵ１１はライフプラン分析演算動作を開始する（Ｓ７２３）。ライフプラン分析演算動作は次のようにして実行する。図５及び図６にも示したように、今、分析部には、「生存ケース」の場合、「年度別の収入と支出のグラフ」、「生存時の金融資産残高の推移」、「老後の収入推移」、「６５歳金融資産」、「６５歳からの生活予測」といった項目が含まれ、一方、「生存ケース」の場合、「万一時の年度別収入と支出」、「万一時の金融資産残高の推移」、「老後の収入推移」、「６５歳金融資産」、「６５歳からの生活予測」といった項目が含まれる。そしてそれらはグラフや予測値を表示することによって、使用者がライフプランの分析と表示を行うことが可能になる。以上の本実施例における表示によって、現在から将来にかけての、主として金銭面（収入、支出、資産等）における、対象者の、予想される生活状況を分析、表示することが可能となるが、もっとも、項目については必ずしも上記項目に限られず、予想される生活状況を分析することができれば足りる。【００９４】  例えば、「年度別の収入と支出のグラフ」に関しては、横軸に対象者の今の年齢（小項目「ご主人」の年齢として入力済）から、６５歳までの年齢を１年ごとあるいは数年ごとにとる。そして現在の収入（中項目「収入」の下の「主収入」や「副収入」として入力済）から、当該ライフプラン分析装置がＲＡＭ１３のプログラムエリア１３ａ内のアプリケーションプログラム中に持っている年収の上昇率レートを使用し、これを掛け率としてＣＰＵ１１が、その演算回路を用い、順次現在の収入以降に掛け算していくことにより、各年度別の収入が算出されていく。これらの算出結果はＲＡＭ１３中のワークエリア１３ｃに書き出していく（Ｓ７２３）。また、支出のほうであるが、入力された小項目「生活費」の項目や中項目「教育プラン（全員共通）」の項目から、当該ライフプラン分析装置がＲＡＭ１３のプログラムエリア１３ａ内のアプリケーションプログラム中に持っている生活費の上昇率レートを使用して各年の生活費を演算により求めたり、やはり当該ライフプラン分析���置がプログラムエリア１３ａ内のアプリケーションプログラム中に持っている教育費データ等を使用して教育費を求めたりすることにより、各年の支出が求められる。また、入力された年金の種類に応じて各年の年金額の支出分の算出も同様にアプリケーションプログラム中に持っている掛け率を使用して算出を行う。また、保険についての設定があれば、その保険の掛け金は支出として扱い、保険の還付金は収入として扱い、加算する。また住宅についても同様に設定したとおりに支出額の演算を行う。そして算出結果はいずれもＲＡＭ１３中のワークエリア１３ｃに書き出していく（Ｓ７２３）。【００９５】  これらのデータがすべて揃ったならば、横軸に年齢、縦軸に額をとり、収入は折れ線グラフに表示し、支出は項目別に棒グラフに色分けして表示すべくＣＰＵ１１はＲＡＭ１３中のワークエリア１３ｃで上記の算出結果データを使用して、グラフ表示のためのグラフィック化作業を行い、イメージデータを作成する。そしてそのイメージデータをＣＰＵ１１はＲＡＭ１３中のワークエリア１３ｃから読み出し、ＶＲＡＭ１４の中の「年度別の収入と支出のグラフ」の描画位置に相当する部分に書きこむことにより、分析部の当該部分への描画が行われる（Ｓ７２４）。尚、描画はそれまでの当該部分に上書きする形で行われることとなる。【００９６】  以下、細かい条件入力部の中項目、小項目の列挙は省略するが、次の「生存時の金融資産残高の推移」では、上記と同様、横軸に年齢、縦軸に額をとり、上記で算出した収入と支出の差額を演算し、演算結果を得ることにより、現在の貯蓄高に加算することにより得られる累計を折れ線グラフに、単年度の収入と支出の差額を棒グラフで示し、同様にイメージデータを作成して、同様にＶＲＡＭ１４の中の「生存時の金融資産残高の推移」の描画位置に相当する部分に書きこむことにより、分析部の当該部分への描画が行われる（Ｓ７２４）。尚、描画はそれまでの当該部分に上書きする形で行われることとなる。【００９７】  また、「老後の収入推移」の項目では、横軸に「配偶者が６５歳未満まで」、「その後主人の寿命まで」、「主人の死後配偶者の寿命まで」と分けて収入の老後の収入の推移を示す。これらの項目は、それぞれ棒グラフにて、配偶者老齢年金、主人の老齢年金、及び金融資産の年配分を分けて縦に積み上げたグラフを表示する。表示の方法は上記同様でＲＡＭ１３中のワークエリア１３ｃからのデータを使用しつつ、配偶者老齢年金、主人の老齢年金、それぞれの額を算出し、金融資産については６５歳時の貯蓄額を６５歳から寿命までの年数で割り算した額を算出する。そしてこれらを用いて、イメージデータを作成して、ＶＲＡＭ１４の中の「老後の収入推移」の描画位置に相当する部分に書きこむことにより、分析部の当該部分への描画が行われる（Ｓ７２４）。尚、描画はそれまでの当該部分に上書きする形で行われることとなる。【００９８】  また、「６５歳金融資産」の項目では、上記演算した６５歳時の貯蓄額を棒グラフ化して、イメージデータを作成して、ＶＲＡＭ１４の中の「６５歳金融資産」の描画位置に相当する部分に書きこむことにより、分析部の当該部分への描画が行われる（Ｓ７２４）。尚、描画はそれ��での当該部分に上書きする形で行われることとなる。【００９９】  そして、「６５歳からの生活予測」では、現在の生活水準を元に夫と妻の老後の平均生活費を算出し、また上記算出した「６５歳金融資産」を読み出し、それを６５歳から６５歳から寿命までの年数で割り算した額を算出する。これらを文字（数字）で画面に描画表示する（Ｓ７２４）。イメージデータを作成して、ＶＲＡＭ１４の中の「６５歳からの生活予測」の描画位置に相当する部分に書き込む点は上記と同様である。尚、描画はそれまでの当該部分に上書きする形で行われることとなる。【０１００】  以上が「生存ケース」における当該ライフプラン分析装置における分析動作である。尚、「死亡ケース」においては「万一」の場合を考慮して、収入が遺族年金に変わったり、保険金額が対象者死亡時の収入に入ってきたり、老後の生活の表示が配偶者のみに変わるということで計算に使用する項目が変わってきたりするが、計算方法は概ね同じである。【０１０１】  また、「生存ケース」及び「死亡ケース」いずれにしても、上記実施例にあってはＣＰＵ１１によって通常容易に計算しうる四則演算を中心として演算可能である。【０１０２】  また、これらの分析部の各項目の設定の方法や、各項目の演算の方法については、必ずしも上記の方法に限られない、要は、特に金銭面に関連したライフプランの分析に関する項目等であれば足り、また、現在、開示されている演算の方法を含め、他の演算方法であっても構わない。【０１０３】  以上が当該ライフプラン分析表示装置における分析動作及び結果表示である。【０１０４】  さらに、本ライフプラン分析表示装置には、「生存ケース」及び「死亡ケース」いずれの表示画面においても自動判定ボタンを装備している。【０１０５】  図５及び図６において、５７は自動判定ボタンであり、使用者が当該自動判定ボタン５７をマウス１７で指定しクリックすると、当該自動判定ボタンが押されたこととなり、上記と同様に、割り込みの手段によってＣＰＵ１１は自動判定ボタンが押されたことを検出する。すると、ＣＰＵ１１は、これを契機として、ＲＡＭ１３内のワークエリア１３ｃに残る、６５歳以前の収入額の計算結果及び支出額の計算結果を比較したり、６５歳の金融資産額を当該ライフプラン分析装置がＲＡＭ１３のアプリケーションエリア内に持つ標準額の値と比較したりすることにより、またはその他の方法により、６５歳以前のライフプランが適切であるか、及び、６５歳以降のライフプランが適切であるかについて、ＣＰＵ１１が判断を下す。判断の結果、剰余金があり、ライフプランとして上々である場合等には、青（緑）色のランプを上記収入期分析部判定信号５８ａ、または、支出期分析部判定信号５８ｂの部分に描画表示する。描画の方法は、対応する部分のＶＲＡＭ１４に当該色データを書き込むことによって同様に達成できる。一方で、判断の結果、剰余金がほとんどなく、ライフプランとしてぎりぎりの状況である場合等には、黄色のランプを上記収入期分析部判定信号５８ａ、または、支出期分析部判定信号５８ｂの部分に描画表示する。さらに、判断の結果、収入に比べて支出が超過し、また、金融資産額が少ない、等の場合には、赤色のランプを上記収入期分析部判定信号５８ａ、または、支出期分析部判定信号５８ｂの部分に描画表示する。また、これらの場合にあわせて音声を発生させてもよい。当該音は、ＶＲＡＭ１４に当該色データを書く前段または後段の工程において、当該ライフプラン分析装置がＲＡＭ１３のプログラムエリア１３ａに持っている音声データをＣＰＵ１１が読み出し、これを図１のＤＡ変換器２１に送ることにより、音声出力手段としてのスピーカー２２を鳴動させることにより、実現させることができる。この場合、音声は上記のランプの色に応じて使い分けることになるであろうが、例えば、青（緑）のランプをともすときはチャイム音、黄色のランプをともすときは抑揚のない一定周波数の発振音や何らかの音楽等、赤色のランプをともすときはブザー音、などのように使い分ける。このようにして自動判定を行い、この結果、ライフプランが適切であるかどうか区別できる。このようにすればよりライフプラン分析装置として使用者が使いやすくなるし、ゲーム感覚も含まれ、使用者が操作してみようとする意欲が向上される。【０１０６】  また、判定を行う場合には自動判定ボタンを用いずに、項目に何か入力して分析動作を行うたびに上記自動判定動作まであわせて行っても構わない。【０１０７】  以上、本発明の実施例によれば、分析結果を見る際に対象者の個人情報と分析結果の対比を行いやすくするライフプラン分析装置を提供することが可能となる。【０１０８】  また、分析結果を現在の経済活動等へフィードバックし、対象者のライフプランの再検討を行う上での利便性を向上し、現在の経済活動等のどこを改めたり、どのようなプランの保険金融商品で補完したりすればよいか等を理解しやすくさせ、対象者の個人情報のうちどの項目が分析結果に大きな影響を与えているのか見えやすくすることを可能とするライフプラン分析装置を提供することが可能となる。【０１０９】  つまり、使用者は何度も繰り返し当該装置を使用して、変化を見ることができるので、ライフプランの分析を非常に行いやすく、また、保険金融商品を使用することでどのような効果があるかも認識しやすくなり、非常に有益である。【０１１０】  そして、また本実施例によれば、「生存ケース」と「死亡ケース」のそれぞれのケースについてライフプランを分析することが可能となり、使用者にとってライフプランが適切であるか理解しやすくなり、さらに、使用者が自動判定の契機を決めることが可能となる。
また、当該ライフプラン分析装置を実行させるプログラムを提供することが可能となる。
【図面の簡単な説明】
【０１１１】
【図１】本発明の実施例におけるライフプラン分析装置のハードウエア構成を示すブロック図である。
【図２】本発明の実施例におけるライフプラン分析装置の外観を示す外観図である。
【図３】当該ライフプラン分析装置の使用開始及び終了に関連する動作のフローチャートである。
【図４】当該ライフプラン分析装置の実行のためにＲＡＭ１３内に確保される各領域の様子を示す図である。
【図５】起動動作によって起動される当該ライフプラン分析装置の表示画面の一例を示す図であり、「生存ケース」における当該ライフプラン分析装置の表示画面の一例を示す図である。
【図６】起動動作によって起動される当該ライフプラン分析装置の表示画面の一例を示す図であり、「死亡ケース」における当該ライフプラン分析装置の表示画面の一例を示す図である。
【図７】使用者が実際に入力を行い、分析する場合の当該ライフプラン分析装置の動作を示すフローチャートである。
【符号の説明】
【０１１２】Ａ  筐体
ＭＳＷ  電源ボタン
Ｂ  メインＣＰＵバス
Ｎ  印刷ボタン
Ｏ  保存ボタン
Ｐ  直帰ボタン
１１  制御手段であるＣＰＵ
１２  不揮発性記憶手段であるＲＯＭ
１３  一時記憶手段としてのＲＡＭ
１３ａ  プログラムエリア
１３ｂ  退避エリア
１３ｃ  ワークエリア
１３ｄ  文字用ワークエリア
１３ｅ  パラメーターエリア
１３ｆ  ＲＡＭ１３中の残ったその他の領域
１４  ＶＲＡＭ（ＶＩＤＥＯ−ＲＡＭ）
１５  表示手段としてのディスプレー
１５ａ  ディスプレー１５の表示面の外縁
１６  マウスＩＦ
１７  第一の入力手段としてのマウス
１８  キーボードＩＦ
１９  第二の入力手段としてのキーボード
２０  大容量記憶手段としてのハードディスク
２１  ＤＡ変換器
２２  音声出力手段としてのスピーカー
２３  音声入力手段としてのマイクロホン
２４  ＡＤ変換器
２５  第一の通信手段である通信ＩＦ−Ａ
２６  第二の通信手段である通信ＩＦ−Ｂ
２７  プリンター
５１  当該ライフプラン分析装置の表示画面
５２  条件入力部
５３  分析部
５４  収入期分析部と支出期分析部の境界線
５５  収入期分析部
５６  支出期分析部
５７  自動判定ボタン
５８ａ  収入期分析部判定信号
５８ｂ  支出期分析部判定信号
５９ａ  「死亡ケース」遷移ボタン
５９ｂ  「生存ケース」遷移ボタン
８１  スタートメニュー等のアイコンが配置されたシステム関連の表示部
【図１】
2005228279.tif 000003
【図２】
2005228279.tif 000004
【図３】
2005228279.tif 000005
【図４】
2005228279.tif 000006
【図５】
2005228279.tif 000007
【図６】
2005228279.tif 000008
【図７】
2005228279.tif 000009